【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
シャフトを中心に周囲に延びる封止組み立てであって:
前記封止部の中心軸に向けて開放された内部空間を画成するハウジングと;
封止接触を維持するように前記内部空間内を半径方向に移動し、前記ハウジングの前記内部空間内に配置されるように構成される封止要素と;
前記封止要素と前記ハウジングとの間に配置され、該封止要素と該ハウジングとの間の流体の流れを制限する封止接触を維持する第一封止部と;
封止接触を維持するように前記内部空間内を軸方向に移動し、前記ハウジングの該内部空間内に配置されるように構成される第一要素と;
前記第一要素と前記ハウジングの間に配置された第二要素と；
前記第一要素と前記封止要素との間に配置され、前記封止要素が前記第一要素に対して半径方向に移動する間に前記封止要素と前記第一要素との間の流体の流れを制限する封止接触を維持する第二封止部と;
前記第一要素と接触するように配置され、封止要素の端面が軸方向に移動する間に前記第一要素と前記第二要素とが封止接触を維持するように該第一要素を前記封止要素との封止接触点に向けてバイアスするように構成されるバイアス部材と;
前記第一要素と前記ハウジングとの間に配置され、該ハウジングと該第一要素との間の流体の流れを制限する封止接触を維持する第三封止部であって、前記第一要素と前記第二要素との双方によって画成される第三封止空間に配置される、前記第三封止部と
を備える、前記封止組み立て。
【請求項２】
第三封止部が、第一圧力で第一流体貯水容器と流体連通する空間の第一部分と、第二圧力で第二流体貯水容器と流体連通する前記空間の第二部分との間の流体の流れを制限するように配置される、請求項1記載の封止組み立て。
【請求項３】
第三封止部の両側における第一圧力と第二圧力との間の圧力差分が、前記第一圧力が比較的大きいとき第一要素を封止要素に向けてバイアスし、前記第二圧力が比較的大きいとき前記第一要素を前記封止要素にバイアスする、請求項2記載の封止組み立て。
【請求項４】
第三封止部が、第三封止空間内で第一圧力と第二圧力との間の圧力差分に応じて軸方向に移動するように動作できる、請求項2記載の封止組み立て。
【請求項５】
第三封止部が、第三封止空間内で圧力差分に応じて軸方向に移動するように動作でき、前記第三封止部が第一圧力が比較的大きいときは第一位置に向けて、前記第一圧力が比較的小さいときは第二位置に向けて付勢される、請求項4記載の封止組み立て。
【請求項６】
第三封止部が、Oリングを備える、請求項4記載の封止組み立て。
【請求項７】
シャフトを中心に周囲に延びる封止組み立てであって:
前記封止部の中心軸に向けて開放された内部空間を画成するハウジングと;
封止接触を維持するように前記内部空間内を半径方向に移動し、前記ハウジングの前記内部空間内に配置されるように構成される封止要素と;
前記封止要素と前記ハウジングとの間に配置され、該封止要素と該ハウジングとの間の流体の流れを制限する封止接触を維持する第一封止部と;
封止接触を維持するように前記内部空間内を軸方向に移動し、前記ハウジングの該内部空間内に配置されるように構成される第一要素と;
前記第一要素と前記封止要素との間に配置され、前記封止要素が前記第一要素に対して半径方向に移動する間に前記封止要素と前記第一要素との間の流体の流れを制限する封止接触を維持する第二封止部と;
前記第一要素と接触するように配置され、封止要素の端面が軸方向に移動する間に前記第一要素と前記第二要素とが封止接触を維持するように該第一要素を前記封止要素との封止接触点に向けてバイアスするように構成されるバイアス部材と;
前記第一要素と前記ハウジングとの間に配置され、該ハウジングと該第一要素との間の流体の流れを制限する封止接触を維持する第三封止部であって、前記第一要素と前記第二要素との双方によって画成される第三封止空間に配置される、前記第三封止部とを備え、
該封止要素が:
封止要素本体と;
前記封止要素本体と一体的に形成され、該封止要素本体から延びる複数の第一ランド（land）凸部と;
前記封止要素本体と一体的に形成され、該封止要素本体から延びる複数の第二リップ凸部とを備え;
前記第二リップ凸部が、該第二リップ凸部が前記第一ランド凸部よりも前記本体から比較的遠くに延びる位置に向けてバイアスされる、前記封止組み立て。
【請求項８】
第二凸部のそれぞれが、封止部材内に挿入された環状部材と接触することによって屈曲するよう配置された弾性凸状部を画成する、請求項7記載の封止組み立て。
【請求項９】
第二リップ凸部が、対ごとに配置され、前記第二リップ凸部の第一の対の先端が前記第二リップ凸部の第二の対に向けて屈曲し、凸部の第二の対の先端が前記第二リップ凸部の第一の対に向けて屈曲し、第二リップ凸部の第三の対の先端が第二リップ凸部の前記第一の対および前記第二の対から離れる方向に屈曲する、請求項8記載の封止組み立て。
【請求項１０】
環状部材の第一端部が、該環状部材の半径方向に延びる端面と第二傾斜表面との間に第一傾斜表面を画成し、前記第二傾斜表面が、前記第一傾斜表面と前記環状部材の軸方向に延びる外部表面との間に位置する、請求項8記載の封止組み立て。
【請求項１１】
第一傾斜表面が、環状部材の軸方向に延びる外部表面に対して155°と165°との間の角度で延び、第二傾斜表面が、前記環状部材の軸方向に延びる外部表面に対して165°と175°との間の角度で延びる、請求項10記載の封止組み立て。
【請求項１２】
第一ランド凸部が、第二リップ凸部よりも比較的柔軟性が低い、請求項7記載の封止組み立て。
【請求項１３】
ハウジングから封止要素に画成されるボア内に延びて、前記封止要素の前記ハウジング内における半径方向の移動を許容しつつ、前記封止要素の前記ハウジングに対する回転を制限するピンをさらに備える、請求項1記載の封止組み立て。
【請求項１４】
封止部が、スプリットシールを備える、請求項1記載の封止組み立て。
【請求項１５】
前記封止要素が:
封止要素本体と;
前記封止要素本体と一体的に形成され、該封止要素本体から延びる複数の第一ランド凸部と;
前記封止要素本体と一体的に形成され、該封止要素本体から延び、前記第一ランド凸部よりも前記封止要素本体から比較的遠くに延びる位置に向けてバイアスされる複数の第二リップ凸部と
を備える、請求項1記載の封止組み立て。
【請求項１６】
第二リップ凸部のそれぞれが、封止部材内に挿入された環状部材と接触することによって屈曲するよう配置された弾性凸状部を画成する、請求項15記載の封止組み立て。
【請求項１７】
第二リップ凸部が、対ごとに配置され、前記第二リップ凸部の第一の対の先端が前記第二リップ凸部の第二の対に向けて屈曲し、前記第二リップ凸部の前記第二の対の先端が前記第二リップ凸部の前記第一の対に向けて屈曲し、第二リップ凸部の第三の対の先端が第二リップ凸部の前記第一の対および前記第二の対から離れる方向に屈曲する、請求項16記載の封止組み立て。
【請求項１８】
ハウジングから封止要素に画成されるボア内に延びて、前記封止要素の前記ハウジング内における半径方向の移動を許容しつつ、前記封止要素の前記ハウジングに対する回転を制限するピンをさらに備える、請求項15記載の封止組み立て。
【手続補正２】
【補正対象書類名】明細書
【補正対象項目名】００２１
【補正方法】変更
【補正の内容】
【００２１】
本発明の一つまたは複数の態様の詳細が、添付の図面および明細書の以下の記述において示される。本発明の他の特徴、目的、および利点は、明細書、図面、および特許請求の範囲から明らかになるであろう。
[本発明1001]
シャフトを中心に周囲に延びる封止部であって:
前記封止部の中心軸に向けて開放された内部空間を画成するハウジングと;
封止接触を維持するように前記内部空間内を半径方向に移動し、前記ハウジングの前記内部空間内に配置されるように構成される封止要素と;
前記封止要素と前記ハウジングとの間に配置され、該封止要素と該ハウジングとの間の流体の流れを制限する封止接触を維持する第一封止部と;
封止接触を維持するように前記内部空間内を軸方向に移動し、前記ハウジングの該内部空間内に配置されるように構成される第一要素と;
前記第一要素と前記封止要素との間に配置され、前記封止要素が前記第一要素に対して半径方向に移動する間に前記封止要素と前記第一要素との間の流体の流れを制限する封止接触を維持する第二封止部と;
前記第一要素と接触するように配置され、封止要素の端面が軸方向に移動する間に前記第一要素と前記第二要素とが封止接触を維持するように該第一要素を前記封止要素との封止接触点に向けてバイアスするように構成されるバイアス部材と;
前記第一要素と前記ハウジングとの間に配置され、該ハウジングと該第一要素との間の流体の流れを制限する封止接触を維持する第三封止部と
を備える、封止部。
[本発明1002]
第一要素とハウジングとの間に配置される第二要素をさらに備え、第三封止部が前記第一要素と前記第二要素との双方によって画成される第三封止空間に配置される、本発明1001の封止部。
[本発明1003]
第三封止部が、第一圧力で第一流体貯水容器と流体連通する空間の第一部分と、第二圧力で第二流体貯水容器と流体連通する前記空間の第二部分との間の流体の流れを制限するように配置される、本発明1002の封止部。
[本発明1004]
第三封止部の両側における第一圧力と第二圧力との間の圧力差分が、前記第一圧力が比較的大きいとき第一要素を封止要素に向けてバイアスし、前記第二圧力が比較的大きいとき前記第一要素を前記封止要素にバイアスする、本発明1003の封止部。
[本発明1005]
第三封止部が、第三封止空間内で第一圧力と第二圧力との間の圧力差分に応じて軸方向に移動するように動作できる、本発明1003の封止部。
[本発明1006]
第三封止部が、第三封止空間内で圧力差分に応じて軸方向に移動するように動作でき、前記第三封止部が第一圧力が比較的大きいときは第一位置に向けて、前記第一圧力が比較的小さいときは第二位置に向けて付勢される、本発明1005の封止部。
[本発明1007]
第三封止部が、Oリングを備える、本発明1005の封止部。
[本発明1008]
封止要素が:
封止要素本体と;
前記封止要素本体と一体的に形成され、該封止要素本体から延びる複数の第一ランド（land）凸部と;
前記封止要素本体と一体的に形成され、該封止要素本体から延びる複数の第二リップ凸部とを備え;
前記第二リップ凸部が、該第二リップ凸部が前記第一ランド凸部よりも前記本体から比較的遠くに延びる位置に向けてバイアスされる、本発明1001の封止部。
[本発明1009]
第二凸部のそれぞれが、封止部材内に挿入された環状部材と接触することによって屈曲するよう配置された弾性凸状部を画成する、本発明1008の封止部。
[本発明1010]
第二リップ凸部が、対ごとに配置され、前記第二リップ凸部の第一の対の先端が前記第二リップ凸部の第二の対に向けて屈曲し、凸部の第二の対の先端が前記第二リップ凸部の第一の対に向けて屈曲し、第二リップ凸部の第三の対の先端が第二リップ凸部の前記第一の対および前記第二の対から離れる方向に屈曲する、本発明1009の封止部。
[本発明1011]
環状部材の第一端部が、該環状部材の半径方向に延びる端面と第二傾斜表面との間に第一傾斜表面を画成し、前記第二傾斜表面が、前記第一傾斜表面と前記環状部材の軸方向に延びる外部表面との間に位置する、本発明1009の封止部。
[本発明1012]
第一傾斜表面が、環状部材の軸方向に延びる外部表面に対して155°と165°との間の角度で延び、第二傾斜表面が、前記環状部材の軸方向に延びる外部表面に対して165°と175°との間の角度で延びる、本発明1011の封止部。
[本発明1013]
第一ランド凸部が、第二リップ凸部よりも比較的柔軟性が低い、本発明1008の封止部。
[本発明1014]
ハウジングから封止要素に画成されるボア内に延びて、前記封止要素の前記ハウジング内における半径方向の移動を許容しつつ、前記封止要素の前記ハウジングに対する回転を制限するピンをさらに備える、本発明1001の封止部。
[本発明1015]
封止部が、スプリットシールを備える、本発明1001の封止部。
[本発明1016]
シャフトを中心に周囲に延びる封止部であって:
前記封止部の中心軸に向けて開放される空間を画成する環状ハウジングと;
少なくとも部分的に前記空間内に配置され、該空間内で半径方向に移動できる封止要素とを備え;
前記封止要素が:
封止要素本体と;
前記封止要素本体と一体的に形成され、該封止要素本体から延びる複数の第一ランド凸部と;
前記封止要素本体と一体的に形成され、該封止要素本体から延び、前記第一ランド凸部よりも前記封止要素本体から比較的遠くに延びる位置に向けてバイアスされる複数の第二リップ凸部と
を備える、封止部。
[本発明1017]
第二リップ凸部のそれぞれが、封止部材内に挿入された環状部材と接触することによって屈曲するよう配置された弾性凸状部を画成する、本発明1016の封止部。
[本発明1018]
第二リップ凸部が、対ごとに配置され、前記第二リップ凸部の第一の対の先端が前記第二リップ凸部の第二の対に向けて屈曲し、前記第二リップ凸部の前記第二の対の先端が前記第二リップ凸部の前記第一の対に向けて屈曲し、第二リップ凸部の第三の対の先端が第二リップ凸部の前記第一の対および前記第二の対から離れる方向に屈曲する、本発明1017の封止部。
[本発明1019]
ハウジングから封止要素に画成されるボア内に延びて、前記封止要素の前記ハウジング内における半径方向の移動を許容しつつ、前記封止要素の前記ハウジングに対する回転を制限するピンをさらに備える、本発明1016の封止部。
[本発明1020]
回転シャフトを中心とする封止方法であって:
前記シャフトを中心として封止ハウジングを配置する段階;
周辺封止要素を前記シャフトに向けて開放される封止ハウジング空間に配置する段階であって、前記周辺封止要素が前記空間内を半径方向に移動する間に、前記シャフトの外部表面に沿った流体の流れを制限しつつ、封止接触を維持するように前記封止要素が取り付けられる段階;および
周辺第一要素を前記封止ハウジング空間に配置する段階であって、前記第一要素が前記空間内を軸方向に移動する間に、前記シャフトの外部表面に沿った流体の流れを制限しつつ、封止接触を維持するように前記第一要素が取り付けられる段階
を備える、封止方法。
[本発明1021]
バイアス部材を用いて、第一要素を封止要素との封止接触部に向けてバイアスする段階をさらに備える、本発明1020の方法。
[本発明1022]
封止要素の基板と一体的に形成され、該封止要素の基板から延びるリップシールの第一の対と、リップシールの第二の対とを提供する段階;および
前記リップシールの前記第一の対と、前記第二の対との間に加圧流体をかける段階
をさらに備える、本発明1020の方法。
[本発明1023]
封止要素に、環状本体と、該本体と一体的に形成され、かつ該本体から半径方向内側に延びる複数のリップシールとを設ける段階をさらに備える、本発明1020の方法。
[本発明1024]
リップシールの一つが、シャフトを中心として配置される環状部材の第一傾斜表面と係合する段階;および
前記リップシールの一つを、前記シャフトが前記封止要素を通って挿入されてくる方向に向けて屈曲させる段階
をさらに備える、本発明1023の方法。